(57)【要約】  【課題】長時間の装着が可能でありながら安定して余剰包皮を収納することができる包皮収納器具を提供する。  【解決手段】包皮収納器具１０は、陰茎に装着されて余剰包皮を寄せ集めるための包皮収納器具１０において、伸縮性のある布製の筒であり、装着時に陰茎に密着して装着される布筒１１と、布筒１１の側周面に周方向に周回して設置される第一リング紐１６と、布筒１１の側周面の第一リング紐１６の根元側に所定の間隔をおいた場所に、周方向に沿って周回して設置される第二リング紐１７と、を備え、陰茎への装着時に第一リング紐１６及び第二リング紐１７により陰茎を締め付けながら、第一リング紐１６と第二リング紐１７との間に余剰包皮を寄せ集めて収納しておく。【選択図】図３
2014144048.tif 000002
【特許請求の範囲】
【請求項１】
陰茎に装着されて余剰包皮を寄せ集めるための包皮収納器具において、
伸縮性のある布製の筒であり、装着時に陰茎に密着して装着される布筒と、
前記布筒の側周面に周方向に周回して設置される第一リング紐と、
前記布筒の側周面の前記第一リング紐の根元側に所定の間隔をおいた場所に、周方向に沿って周回して設置される第二リング紐と、
を備え、陰茎への装着時に前記第一リング紐及び前記第二リング紐により陰茎を締め付けながら、前記第一リング紐と前記第二リング紐との間に余剰包皮を寄せ集めて収納しておくことを特徴とする包皮収納器具。
【請求項２】
前記第一リング紐及び第二リング紐は伸縮性のある紐であることを特徴とする請求項１記載の包皮収納器具。
【請求項３】
陰茎への装着時に前記第一リング紐と前記第二リング紐との間隔が7〜20mmとなるように構成されていることを特徴とする請求項１又は２記載の包皮収納器具。
【請求項４】
前記布筒の縦方向の筒長を調整するための筒長調整部材をさらに備え、陰茎への装着時に前記布筒の筒長を縮めることで前記第一リング紐と前記第二リング紐との間に余剰包皮を寄せ集めることを特徴とする請求項１乃至３何れか１項記載の包皮収納器具。
【請求項５】
前記筒長調整部材は、前記布筒の側周面に縦方向に沿って延在して設置された筒長調整紐であり、当該筒長調整紐に沿って前記布筒の一端部をスライドさせることで、前記布筒の筒長を調整可能であることを特徴とする請求項１乃至４何れか１項記載の包皮収容器具。
【請求項６】
前記布筒は、その側周面上に縦方向に延在して外側に突出した側縁部を備えることを特徴とする請求項１乃至５何れか１項記載の包皮収納器具。
【発明の詳細な説明】
【技術分野】
【０００１】
本発明は、男性の陰茎の余剰包皮を収納する包皮収納器具に関する。
【背景技術】
【０００２】
仮性包茎などにより陰茎の包皮のたるみが大きく、亀頭の雁首辺りに余剰包皮が集まると、衛生上の問題が発生していた。
【０００３】
このため、陰茎の根元側など、他の場所に余剰包皮を寄せておくための包皮収納器具（包茎矯正器具）が従来から提供されており、例えば、下記特許文献１，２に開示された包茎矯正器具が知られている。
【先行技術文献】
【特許文献】
【０００４】
【特許文献１】特許第３１２２０６２号公報
【特許文献２】特開２００３−３３３８０号公報
【発明の概要】
【発明が解決しようとする課題】
【０００５】
しかし、上記特許文献１，２に開示された包茎矯正器具は、単に陰茎に装着したリングで余剰包皮を寄せる方法であるため、リングが動いてずれてしまったり、リングから包皮が抜けてしまったりして、安定して包皮を寄せ集めておくのが困難である。
【０００６】
また、リングがずれてしまうのを防止するためにリングの締め付けを強くすると、装着者が痛みを感じ、長時間の装着が困難になる。
【０００７】
本発明は、このような課題に鑑みてなされたものであり、長時間の装着が可能でありながら安定して余剰包皮を収納することができる包皮収納器具を提供することを目的とする。
【課題を解決するための手段】
【０００８】
上記課題を解決するための本発明に係る包皮収納器具は、陰茎に装着されて余剰包皮を寄せ集めるための包皮収納器具において、伸縮性のある布製の筒であり、装着時に陰茎に密着して装着される布筒と、前記布筒の側周面に周方向に周回して設置される第一リング紐と、前記布筒の側周面の前記第一リング紐の根元側に所定の間隔をおいた場所に、周方向に沿って周回して設置される第二リング紐と、を備え、陰茎への装着時に前記第一リング紐及び前記第二リング紐により陰茎を締め付けながら、前記第一リング紐と前記第二リング紐との間に余剰包皮を寄せ集めて収納しておくことを特徴とする。
【発明の効果】
【０００９】
本発明に係る包皮収納器具によれば、長時間の装着が可能であって、安定して余剰包皮を寄せ集めて収納しておくことが可能である。
【図面の簡単な説明】
【００１０】
【図１】図１は、本発明の第一実施形態に係る包皮収納器具の正面図である。
【図２】図２は、本発明の第一実施形態に係る包皮収納器具の平面図である。
【図３】図３は、本発明の第一実施形態に係る包皮収納器具の斜視図である。
【図４】図４は、本発明の第一実施形態に係る包皮収納器具の装着状態を示す図である。
【図５】図５は、本発明の第二実施形態に係る包皮収納器具の正面図である。
【図６】図６は、本発明の第二実施形態に係る包皮収納器具の平面図である。
【図７】図７は、本発明の第二実施形態に係る包皮収納器具の斜視図である。
【図８】図８は、本発明の第二実施形態に係る包皮収納器具の装着状態を示す図である。
【図９】図９は、本発明の第三実施形態に係る包皮収納器具の正面図である。
【図１０】図１０は、本発明の第三実施形態に係る包皮収納器具の平面図である。
【図１１】図１１は、本発明の第三実施形態に係る包皮収納器具の斜視図である。
【図１２】図１２は、本発明の第三実施形態に係る包皮収納器具の装着状態を示す図である。
【発明を実施するための形態】
【００１１】
（第一実施形態）
まず、図１〜図４を参照しながら本発明の第一実施形態について詳細に説明する。図１は、第一実施形態に係る包皮収納器具の正面図である。図２は、第一実施形態に係る包皮収納器具の平面図である。図３は、第一実施形態に係る包皮収納器具の斜視図である。図４は、第一実施形態に係る包皮収納器具を装着した状態を示す図である。
【００１２】
第一実施形態に係る包皮収納器具１０は、円筒形状の布筒１１と、布筒１１の先端側（図１において上端側）に設置される第一リング紐１６と、布筒１１の根元側（図１において下端側）に設置される第二リング紐１７と、布筒１１の縦方向の長さ（筒長）を調整するための筒長調整紐１８と、を備えている。
【００１３】
布筒１１は、伸縮性の高いストッキング素材から形成された筒長60mm程度、直径25mm程度の円筒形状の部材であり、筒の上端及び下端は開放されている。布筒１１の外周面には、その縦方向に上端から下端まで延在して外側に突出した側縁部１２ａ，１２ｂが形成されている。側縁部１２ａ，１２ｂは、布筒１１の周方向に180°間隔で二箇所に形成されている。
【００１４】
布筒１１の上端部には、側周面の上端縁に沿って第一リング紐１６を周回設置させるための第一リング紐挿通部１３ａが形成されている。具体的には、第一リング紐挿通部１３ａとして、布筒１１の本体側周面を貫通する挿通穴が上端縁に沿って複数形成されており、布筒１１の外側から内側、内側から外側へと、順次第一リング紐１６をこの挿通穴に通すことで、布筒１１の上端部に第一リング紐１６を周回設置する。
【００１５】
また、布筒１１の側縁部１２ａ，１２ｂの上端部分にも第一リング紐１６を貫通させるための挿通穴が形成されている。このようにして布筒１１の上端縁に沿って周回設置された第一リング紐１６を締めたり弛めたりすることで、布筒１１の上端開口を絞ったり拡げたりすることができる。
【００１６】
また、布筒１１の下端部にも同様に第二リング紐１７を周回設置させるための第二リング紐挿通部１３ｂが形成されており、第二リング紐１７を締めたり弛めたりすることで、布筒１１の下端開口を絞ったり拡げたりすることができる。
【００１７】
布筒１１の側周面と側縁部１２との接続部分には、筒長調整紐１８を通すため調整紐挿通部１４が形成されている。具体的には、布筒１１の外周面と側縁部１２との境界に沿って、布筒１１の上端から下端まで筒長調整紐１８を通すための布で囲われた調整紐通路が形成されている。調整紐挿通部１４ａ，１４ｂは、両側の側縁部１２ａ，１２ｂにそれぞれ形成されており、筒長調整紐１８ａ，１８ｂがそれぞれ通されている。
【００１８】
リング紐１６，１７は、ストッキング素材から造られた高い伸縮性のある紐である。リング紐１６，１７は、リング紐挿通部１３に通した後に両端を結び付けて接続固定することで、リング形状に構成されている。
【００１９】
リング紐１６，１７及び布筒１１の素材がストッキング素材であるため、リング紐１６，１７の一部を引っ張って布筒１１の上下端開口を締め付けると、リング紐１６，１７と布筒１１との摩擦により両者が相対的に移動し難くなるため、布筒１１の上下端開口は締め付けられた状態を維持し、容易には拡がらない。
【００２０】
もちろん、リング紐１６，１７の両端を常に結んで接続固定しておく必要は無く、包皮収納器具１０を人体に装着した際にのみリング紐１６，１７の両端を結ぶようにしても良い。また、両端を結んで接続することなく、布筒１１との摩擦によりリング紐１６，１７を締め付けた状態を維持するようにしても良い。
【００２１】
筒長調整紐１８は、合皮製の紐であり、若干の伸縮性を有する紐である。筒長調整紐１８は、布筒１１の筒長よりも若干長く70mm程度である。筒長調整紐１８は、布筒１１の調整紐挿通部１４に通されたうえで、両端近傍に止め結びによるこぶ（ストッパー）が形成されており、両端が調整紐挿通部１４内に入り込まないように構成されている。
【００２２】
布筒１１は、調整紐挿通部１４に通されている筒長調整紐１８に対して縦方向に伸び縮みしながらスライド可能である。側縁部１２を掴みながら布筒１１の一端側を筒長調整紐１８に対して縦方向に強制的にスライドさせると、布筒１１は折り畳まれて皺状になりながら筒長が短くなる。いったん布筒１１を縮ませると、ストッキング素材の布筒１１と筒長調整紐１８との間の摩擦により、布筒１１は皺状に折り畳まれて縮んだ状態が維持される（図４の装着状態参照）。
【００２３】
このとき、筒長調整紐１８は、布筒１１が縮んだ分だけ、調整紐挿通部１４から露出した状態となる。また、この縮んだ状態から筒長が伸びる方向に布筒１１の一端側を引っ張ると、布筒１１を元の縮んでいない平常時の状態まで伸ばして戻ることができる。
【００２４】
以上、包皮収納器具１０の構成について説明したが、続いて、包皮収納器具１０を人体に装着する手順について説明する。人体への装着前に、まず、布筒１１を筒長60mmの縮んでいない元の状態に戻しておく。このとき、布筒１１の上端部に設置された第一リング紐１６と、下端部に設置された第二リング紐１７との間隔は約60mm程度である。
【００２５】
この平常時の状態のまま包皮収納器具１０を陰茎１に装着する。具体的には、陰茎１の先端を布筒１１内に挿入し、布筒１１の先端部が亀頭３を超えるところまで移動させて仮装着する。このとき、布筒１１の先端部が亀頭３の雁首の根元側に接触する位置となる。装着にあたっては、布筒１１の側縁部１２ａ，１２ｂを引っ張って布筒１１の筒径を拡げながら装着すれば、容易に行うことができる。
【００２６】
この仮装着の状態では、第一リング紐１６が亀頭３の雁首の根元側部分に位置し、第二リング紐１７は、第一リング紐１６から根元側に60mm程度離れた位置にある。また、布筒１１の円筒の直径は25mm程度であるので、通常であれば、布筒１１は、伸縮性のあるストッキング素材が伸びて、円筒が少し拡げられた状態で陰茎に密着して装着されている。
【００２７】
続いて、陰茎１のサイズに応じて、第一リング紐１６及び第二リング紐１７を適宜締め付ける。締め付けの強さは適宜調整すれば良い。このように、リング紐１６，１７により陰茎１を締め付けた状態で、筒長調整紐１８を用いて、根元側を先端側に移動させるように布筒１１の筒長を縮める。
【００２８】
具体的には、布筒１１の側縁部１２を掴んで、布筒１１の根元側を筒長調整紐１８に対して先端側へスライドさせる。これにより、布筒１１の下端部に設置された第二リング紐１７は、布筒１１の下端部と一緒に陰茎先端に向けて移動し、布筒１１は、皺状に折り畳まれながら縮む。
【００２９】
高伸縮性で陰茎の表面を締め付けている第二リング紐１７は、陰茎包皮に対して滑ることがなく、密着している包皮部分と一体となって陰茎１の先端側に移動する。また、包皮は、陰茎の内部本体（海綿体）に対して容易に前後に移動可能である。このため、この第二リング紐１７の移動に伴って、元々その場所にあった陰茎包皮が第二リング紐１７と第一リング紐１６との間に寄せ集められることになる。
【００３０】
最終的には、図４に示すように、第一リング紐１６から10mm程度離れた位置まで第二リング紐１７を移動させることで、陰茎１の余剰包皮の大部分を第一リング紐１６と第二リング紐１７との間に寄せ集めることができる。寄せ集められた包皮は、幾重にも折れ曲がった布筒１１によってカバーされ、外からは見えない状態となる。
【００３１】
この最終的な装着状態では、布筒１１と筒長調整紐１８との間の摩擦により、縮められた布筒１１は伸びることなく縮んだ状態で維持され、陰茎１の余剰包皮を寄せ集めた状態をそのまま安定して維持することができる。
【００３２】
次に、包皮収納器具１０を外す際には、装着状態から第一リング紐１６及び第二リング紐１７を弛めたうえで、布筒１１の側縁部１２を掴んで径を拡げながら陰茎１から包皮収納器具１０を取り外せば良い。
【００３３】
なお、上記装着手順では、余剰包皮を亀頭３の雁首近傍に寄せ集める場合について説明したが、陰茎の根元側など、適宜他の場所に寄せ集めることも可能である。陰茎の根元部分に集める場合には、仮装着において、布筒１１の下端側が陰茎１の根元に位置するように装着し、布筒１１の上端側（第一リング紐１６）を陰茎１の根元側（第二リング紐１７）に向けて移動させれば良い。
【００３４】
また、最終的な装着状態における第一リング紐１６と第二リング紐１７との間隔は、寄せ集めた余剰包皮の量によって適宜変更可能であるが、最終的な装着状態において、第一リング紐１６と第二リング紐１７との間隔が7mm以上であって20mm以下となるように布筒１１の筒長を調整するのが望ましい。
【００３５】
第一リング紐１６と第二リング紐１７との間隔が7mmよりも短いと、余剰包皮が収納する空間が狭すぎて、安定した収納ができなくなり、逆に20mmよりも長いと、包皮の寄せ集めが不十分となってしまう。
【００３６】
以上、詳細に説明した本実施形態によれば、包茎の人や包皮のたるみの大きい人にとって、余剰包皮を一箇所に寄せ集めた状態を安定して維持することができるので、様々なメリットが生じる。例えば、包茎のために亀頭３が包皮により覆われたり、雁首辺りに余剰包皮が集まったりすると、衛生上の問題が発生するが、他の場所に余剰包皮を寄せ集め、亀頭３を完全に露出させておくことで、このような問題を解決できる。
【００３７】
また、包皮がたるんだ状態でコンドームを装着しても、コンドームがすぐにはずれてしまうといった問題も発生するが、本実施形態に係る包皮収納器具１０によれば、このような問題も解決できる。なお、コンドーム装着の際には、陰茎１の根元側に余剰包皮を集めるようにするのが望ましい。
【００３８】
また、包皮収納器具１０により余剰包皮を所定の場所に寄せ集めて収納しておくことで、包皮収納器具１０を仮性包茎の場合の包茎矯正器具として利用することもできる。
【００３９】
（第二実施形態）
続いて、本発明の第二実施形態について詳細に説明する。図５は、第二実施形態に係る包皮収納器具の正面図である。図６は、第二実施形態に係る包皮収納器具の平面図である。図７は、第二実施形態に係る包皮収納器具の斜視図である。図８は、第二実施形態に係る包皮収納器具を装着した状態を示す図である。
【００４０】
第二実施形態に係る包皮収納器具２０は、第一実施形態に係る包皮収納器具１０と比べて、筒長を調整するための筒長調整部材を備えておらず、筒長がほぼ固定である点で大きく異なる。包皮収納器具２０は、円筒形状の布筒２１と、布筒２１の先端側（図５において上端側）に設置される第一リング紐２６と、布筒２１の根元側（図５において下端側）に設置される第二リング紐２７と、を備えている。
【００４１】
布筒２１は、伸縮性の高いストッキング素材から形成された筒長25mm程度、直径30mm程度の円筒形状の部材であり、筒の上端及び下端は開放されている。布筒２１の上端から5mm程度離れた位置には、第一リング紐２６を側周面に沿って周回設置させるための第一リング紐挿通部２３ａが形成されている。
【００４２】
具体的には、第一リング紐挿通部２３ａとして、布筒２１の所定の場所から側周面沿いに略一周に渡って延在する、布で囲われたリング紐通路が形成されている。第一リング紐２６の一端がこのリング紐通路の一端から露出し、他端がこのリング紐通路の他端から露出しており、第一リング紐２６の一端又は他端を引っ張って締め付けることで、第一リング紐挿通部２３ａにおいて布筒２１の筒径を絞り、陰茎を締め付けることができる。
【００４３】
布筒２１の下端から5mm程度離れた位置には、同じく第二リング紐２７を側周面に沿って周回設置させるための第二リング紐挿通部２３ｂが形成されており、第二リング紐２７の一端又は他端を引っ張って締め付けることで、第二リング紐挿通部２３ｂの位置において布筒２１の筒径を絞り、陰茎を締め付けることができる。
【００４４】
第一リング紐挿通部２３ａと第二リング紐挿通部２３ｂとの間隔は15mm程度である。第一リング紐挿通部２３ａと第二リング紐挿通部２３ｂとの間において、布筒２１の側周面には、5mm×8mm程度の長方形の包皮解放穴２５が一箇所形成されている。
【００４５】
布筒２１の第一リング紐挿通部２３ａの上側には、先端縁部２９ａが形成され、布筒２１の第二リング紐挿通部２３ｂの下側には、根元縁部２９ｂが形成されている。包皮収納器具２０を陰茎に装着する際には、この縁部２９を掴みながら行うことができる。
【００４６】
第一リング紐２６及び第二リング紐２７は、ストッキング素材から造られた高伸縮性のある紐である。リング紐２６，２７の両端部には止め結びが形成されており、リング紐２６，２７の両端がリング紐挿通部２３内に引き込まれた状態とならず、外に露出した状態が維持されている。
【００４７】
第二実施形態においても、第一実施形態と同様に、布筒２１及びリング紐２６，２７の素材が高伸縮性のストッキング素材であるため、一旦リング紐２６，２７の端部を引っ張って布筒２１の筒径を絞ると、布筒２１とリング紐２６，２７との摩擦により、その状態を維持することができる。
【００４８】
以上、包皮収納器具２０の構成について説明したが、続いて、包皮収納器具２０を人体に装着する手順について説明する。なお、図８では、陰茎の代わりに長尺円筒部材に模擬的に装着した状態を示している。
【００４９】
本実施形態の包皮収納器具２０は、第一実施形態に係る包皮収納器具１０のように筒長が大きく伸縮することがないので、平常時の筒長25mm程度の状態のまま、縁部２９をつまんで筒径を拡げなら陰茎を布筒２１内に通すことで、包皮収納器具２０を陰茎に仮装着する（図８の状態）。
【００５０】
続いて、この仮装着の状態で第一リング紐２６及び第二リング紐２７を陰茎のサイズに応じて適宜弛めに締め付けたうえで、包皮解放穴２５から内側の包皮を挟んで外側に引っ張ると、陰茎全体の余剰包皮が布筒２１内に引き寄せられ、第一リング紐２６と第二リング紐２７との間に寄せ集められる。
【００５１】
このようにして陰茎の余剰包皮を寄せ集めた状態で、痛くない程度に第一リング紐２６及び第二リング紐２７を再び締め付けると装着が完了し、余剰包皮を寄せ集めた状態を維持することができる。
【００５２】
なお、このままの状態にしておけば、リング紐２６，２７が徐々に少しずつ弛んでいくが、長時間にわたって、余剰包皮を寄せ集めた状態を維持できる。一方、多少の痛みを伴っても短期間限定で弛みを完全に防止したい場合には、リング紐２６，２７の両端を固く結び付けるようにしても良い。
【００５３】
また、包皮収納器具２０の陰茎への装着位置は、包皮を寄せ集めて収納するために、陰茎の亀頭よりも根元側に装着する必要があるが、適宜所望の位置に装着すれば良い。
【００５４】
以上、詳細に説明した本実施形態によれば、上記第一実施形態と同様の作用効果を奏し、余剰包皮を寄せ集めた状態を安定して維持できる。
【００５５】
（第三実施形態）
続いて、本発明の第三実施形態について詳細に説明する。図９は、第三実施形態に係る包皮収納器具の正面図である。図１０は、第三実施形態に係る包皮収納器具の平面図である。図１１は、第三実施形態に係る包皮収納器具の斜視図である。図１２は、第三実施形態に係る包皮収納器具を装着した状態を示す図である。
【００５６】
第三実施形態に係る包皮収納器具３０は、第二実施形態に係る包皮収納器具２０と比べて、筒長が若干長く、第三のリング紐を備える点で異なるが、その他の構成はほぼ同様であるため、異なる部分を中心に説明する。
【００５７】
包皮収納器具３０は、円筒形状の布筒３１と、布筒３１の先端側（図９において上端側）から根元側（図９において下端側）に向けて順に設置される第一リング紐３６、第二リング紐３７及び第三リング紐３８と、を備えている。
【００５８】
布筒３１は、伸縮性の高いストッキング素材から形成された筒長40mm程度、直径30mm程度の円筒形状の部材であり、筒の上端及び下端は開放されている。布筒３１の上端から5mm程度離れた位置には、第一リング紐３６を側周面に沿って周回設置させるための第一リング紐挿通部３３ａとして、布筒３１の側周面に沿って略一周に渡って延在する、布で囲われたリング紐通路が形成されている。
【００５９】
第一リング紐挿通部３３ａから10mm程度下端側に離れた位置には、第二リング紐３７を側周面に沿って周回設置させるための第二リング紐挿通部３３ｂが形成されている。第二実施形態と同様に、リング紐挿通部３３ａ，３３ｂに通された第一リング紐３６や第二リング紐３７の端部を引っ張って締め付けることで、リング紐挿通部３３ａ，３３ｂの位置において布筒の３１の筒径を絞り、陰茎を締め付けることができる。
【００６０】
布筒３１の下端から10mm程度離れた位置には、第三リング紐３８を布筒３１の側周面に沿って周回設置させるための第三リング紐挿通部３３ｃが形成されており、第三リング紐３８の端部を引っ張って締め付けることで、第三リング紐挿通部３３ｃの位置に置いて布筒３１の筒径を絞り、陰茎を締め付けることができる。
【００６１】
なお、第三リング紐３８は、陰茎の余剰包皮を直接寄せ集めるために使用されるのではなく、後述するように、包皮収納器具３０を陰茎に装着した際に、包皮が収納された部分を布筒３１でカバーする際の締結部材として機能する。
【００６２】
なお、第一リング紐３６及び第二リング紐３７の両端部は、布筒３１の外側に露出しているのに対して、第三リング紐３８の両端部は布筒３１の内側に露出するように構成されている。
【００６３】
布筒３１の側周面には、第一リング紐挿通部３３ａと第二リング紐挿通部３３ｂとの間において、5mm×5mm程度の正方形の包皮解放穴３５が周方向に沿って順に四箇所形成されている。
【００６４】
以上、包皮収納器具３０の構成について説明したが、続いて、包皮収納器具３０を人体に装着する手順について説明する。なお、図１２では、陰茎の代わりに長尺円筒部材に模擬的に装着した状態を示しており、図１２（ａ）は仮装着の状態、図１２（ｃ）は最終的な装着状態を示している。
【００６５】
装着にあたっては、第二実施形態と同様に筒長40mm程度の平常時の状態のまま、縁部３９をつまみながら陰茎を布筒３１に通すことで、包皮収納器具３０を陰茎に仮装着する（図１２（ａ）の状態）。
【００６６】
続いて、この仮装着の状態で第一リング紐３６及び第二リング紐３７を陰茎のサイズに応じて適宜弛めに締め付けたうえで、何れかの包皮解放穴３５から内側の包皮を外側に引っ張ると、陰茎全体の余剰包皮が布筒３１内に引き寄せられ、第一リング紐３６と第二リング紐３７との間に寄せ集められる。この状態で、痛くない程度に第一リング紐３６と第二リング紐３７を適宜締め付け、余剰包皮を寄せ集めた状態を維持できるようにする。
【００６７】
続いて、布筒３１の第三リング紐３８が設置されている側である下側半分を上側半分に被せるように折返し、布筒３１の下側半分により布筒３１の上側半分を覆うようにする（図１２（ｂ）の状態）。このように折り返した状態では、第三リング紐３８の両端部が外側に露出した状態となるので、装着した布筒３１がずれたりしないように、適宜第三リング紐３８を締め付ければ、装着が完了する。
【００６８】
なお、第３実施形態においても、陰茎の亀頭よりも根元側であれば、適宜所望の位置に装着すれば良い。以上、詳細に説明した本実施形態によれば、上記第二実施形態と同様の作用効果を奏し、余剰包皮を寄せ集めた状態を安定して維持できる。
【００６９】
以上、本発明の第一〜第三実施形態について説明したが、本発明の実施の形態は上記実施形態に限定されるものではなく、本発明の主旨を逸脱しない範囲内で種々の変形が可能である。例えば、包皮収納器具のサイズや形状等は適宜変更可能であり、装着者の体型等に合わせて適宜変更すれば良い。
【００７０】
なお、装着時に陰茎の余剰包皮を収納する場所となる第一リング紐と第二リング紐との間隔は、第一実施形態では可変、第二実施形態では15mm程度に固定、第三実施形態では10mm程度に固定としているが、上述したように、両者の間隔が最終的な装着状態において7〜20mmとなるように構成できれば良い。
【００７１】
すなわち、第一実施形態のように両者の間隔が可変式の場合には、装着時に7〜20mmの間隔に設定できるような構成にするのが望ましく、第二及び第三実施形態のように両者の間隔が固定式の場合には、7〜20mmの範囲の間隔に固定するように構成するのが望ましい。
【００７２】
また、上記実施形態では、布筒の素材として高い伸縮性を有するストッキング素材を用いているが、これに限らず種々の布素材を用いることができる。但し、布筒に対して包皮が相対的に容易に移動できると、寄せ集めた余剰包皮がすぐに元に戻ってしまう。このため、布筒の素材としては、平常時の布筒の筒径よりも太い陰茎に密着しながら装着可能である程度に伸縮性を有する素材を用いることが望ましい。
【００７３】
また、上記実施形態では、リング紐の素材として高い伸縮性を有するストッキング素材を用いているが、伸縮性のない紐も含め、種々の素材を採用することができる。但し、伸縮性のある紐であれば、布筒との間の摩擦が大きくなり、リング紐による締め付け等を維持しやすくなると共に、装着時に弾性力により陰茎を締め付けることができる。
【００７４】
同じく、筒長調整紐の素材としても伸縮性のない紐も含めて、種々の素材を採用することができるが、伸縮性のある紐であれば、布筒との間の摩擦が大きくなり、筒長調整紐により布筒を縮めた状態を維持しやすくなる。
【符号の説明】
【００７５】
１                陰茎
３                亀頭
１０，２０，３０  包皮収納器具
１１，２１，３１  布筒
１２              側縁部
１３，２３，３３  リング紐挿通部
１４              調整紐挿通部
２５，３５        包皮解放穴
１６，２６，３６  第一リング紐
１７，２７，３７  第二リング紐
３８              第三リング紐
２９，３９        縁部
１８              筒長調整紐
【図１】
2014144048.tif 000003
【図２】
2014144048.tif 000004
【図３】
2014144048.tif 000005
【図４】
2014144048.tif 000006
【図５】
2014144048.tif 000007
【図６】
2014144048.tif 000008
【図７】
2014144048.tif 000009
【図８】
2014144048.tif 000010
【図９】
2014144048.tif 000011
【図１０】
2014144048.tif 000012
【図１１】
2014144048.tif 000013
【図１２】
2014144048.tif 000014